(57)【要約】【課題】本発明の課題は、自然の現象である重力、弱い力、電磁気力、核力に至る連続した穏やかなエネルギー発生方法と装置を提供することにある。【解決手段】核力に次ぐ高エネルギー内在異四次元である電磁気力の移動空間での相互作用であるエネルギーを取り出す事に於いて、核力に次ぐ高エネルギーである電磁気力を重力場に回帰させる方法及び装置を遊星子と銀河子を用いた発電機として提供する。その際の発熱を防ぐ磁極を提供するものである。【選択図】図２
2008172992.tif 000002
【特許請求の範囲】
【請求項１】
モータの永久磁石に他の磁界が横切る時、永久磁石内に発生する電磁気力による発熱を防ぐ方法として、永久磁石を細かく裁断し、永久磁石同士が通電できないように皮膜で覆い絶縁する方法。
【請求項２】
請求項１の絶縁皮膜が樹脂である絶縁皮膜永久磁石。
【請求項３】
請求項１の絶縁皮膜が酸化金属であるセラミック永久磁石。
【請求項４】
請求項３及び請求項４の絶縁永久磁石と電磁磁石で構成するモータ。
【発明の詳細な説明】
【発明の詳細な説明】
【技術分野】
【０００１】モータ
【背景技術】
【０００２】自然界では重力、弱い力、電磁気力、核力と言うそれぞれ相互作用しない系で閉じた四つの力が有るのは公知である。エネルギー保存則で閉じた系を超える方法は、爆縮という形で発散する原子力以外の利用方法以外を人類は知らない。核力の次の高エネルギーであるはずの電磁気力も重力場での効率１を超えられないと言う不文律、３５０年も前の熱エネルギーの呪縛、エネルギー保存則の常識の中に埋没し、その持てるエネルギーを発揮できない。保存則では説明できないものには目を瞑ると言う悪しき習慣がある。たとえば永久磁石の着磁入力エネルギーと、その後の出力エネルギーがコイルによる電機子と比較すると大幅に違うことなどがある。四つの力をそれぞれ相互作用させるための統一する物理理論も発見されていない。囲の中の蛙のごとく成果のない莫大な費用のかかる実験物理を積み重ねているのが現状である。【０００３】有史以来のさまざまな人々の思い上がった一人よがりな独善的思想は、四次元を越える原子力発電での使用済み核燃料の安価な保存方法として、原爆の大量生産という未来のない破滅の方向に人類を導いている。本発明は宇宙の爆発の数理を整数論として捉え、曇りなく自然を見る、知るということから始まり、人類の新しい未知なる自然の姿を見せる装置を開発しつつ、その装置による新たな発見と、それによる新しい思想が基礎技術となっている。このため、自然をこの出願書類と共に、あるいは、発明開発された装置により、電磁気力子の自然の動きを見ることにより、新たな思想、発見を学び取ると言う姿勢が要求される。したがって四次元を越える装置の現物を見、自然の神秘さを知るということが重要なこととなる。永久磁石を他の磁石が横切れば相互作用により電磁気力が発生するのも知られていなく、従来ではこの相互作用が有効利用されていない。
【発明の開示】
【発明が解決しようとする課題】
【０００４】閉じた系内でのモータの効率は効率１を越えない。しかし閉じた系を越える異四次元内では容易に効率１を超えることが可能です。一般的には物理学の統一理論は完成していないと言う思想の中では、理解を得られ難い考えですが。私による物理学上の統一理論の完成により可能となった本発明は、詳しく述べることは避けるが、整数論による宇宙の爆発の数理と邂逅の数理とそれを重力場の閉じた四次元の数理と繋げる古代ギリシャ時代より出された三つの整数論の問題、倍積、円積、角度の三等分の幾何学上の問題を解き、その解法を用いて物性物理に応用することを最大の課題としている。具体的には、私が実際に製作した１１段モータで、弱い力の場を再現したものを述べる。１段目駆動モータに２キロワットの電力を入力し２段目以降１１段を発電機とする。２段目以降はそれぞれ１００Ｗの発電をする。発電機の効率は無視する。合計は１キロワットで全体としては効率５０％である。２段目は１００Ｗの電磁気力で後の９段の９００Ｗの発電をする。弱い力の場である原子内で光速に近い等速運動をしている電子からエネルギーを受け取ると、同様な状態になります。等速運動する電磁気力の高ネルギーを、停止している当四次元に、核力＝効率１×１０の３８乗倍に次ぐ高エネルギーとしての電磁気力エネルギー＝効率１×１０の２４乗倍を受け取る方法を提供する、発電機が本発明の大きな課題であり。このエネルギーを重力場に回帰させる装置である統一発電機の提供が課題である。この課題を実現するために永久磁石のみで可動するモータの具現が最大の課題であるが。本発明はそれを具現するのに永久磁石の電磁相互作用での発熱を防ぐのを第一の課題とし、絶縁材料による永久磁石製法を第二、第三の課題としているの。第四の課題は永久磁石を他の磁石が横切る時に発生する効力がプラスマイナスの相互作用を有効利用するのが課題である。
【課題を解決するための手段】
【０００５】第一の課題である請求項１の手段は磁石を裁断し、あいだに絶縁物質を挟み、永久磁石に他の磁界が横切ったときに発生する電流を、絶縁物質で遮断し、発熱を防ぐ方法である。第二課題での手段は絶縁物質が樹脂とすることにより、永久時磁石着磁後に絶縁することを可能し。第三の課題での手段は着磁前に陶器で絶縁することにより、熱に強い絶縁を具現化する。第四の課題での手段は永久磁石による電磁相互作用モータの抗力をプラスに転じる手段として、上記絶縁永久磁石を使用することにより、相互作用の電流の流れを小さく閉じ込め、磁力をのみを主に有効利用することを手段とする。
【発明の効果】
【０００６】本発明の効果は、永久磁石に他の磁界が横切り電磁相互作用し、閉鎖回路に発生する電流により発熱するのを、絶縁物質で電流を遮断し発熱を防ぐ効果がある。永久磁石を使用するモータに、上記絶縁永久磁石を具備すると、モータの発熱を防ぐことが出来ると共に、回転があがると共に永久磁石内で発生する効力によりモータのトルクが減じるのを防ぐことが出来る。発熱でエネルギー損が発生するのを防ぐ抗力がある。
【発明を実施するための最良の形態】以下図面を用いて本発明を実施する最良の方法を説明する。
【実施の形態１】
【図面の簡単な説明】
【０００７】
【図１】図１はリニアモータである。遊星磁石の極数が２極で、単位が遊星歯車円周と同じ長さのレール歯車と一対となる磁石の磁極は二極であり、走行方向縦断面図である。遊星磁石が半回転するとレール上の磁極が反転するため、回転することが可能。遊星磁石が左回転すると、駆動モータであれば、レールは左に移動しようとする反力が働く。連動する歯車により遊星磁石回転中心軸は左に移動するため、トルクは打ち消しあい、移動しない。レール部分の磁石を電機子に置き換え、外部入力で遊星子を回転させると、電機子で発電する際のレール抗力方向は右方向であり、遊星子回転移動方向に抗力としては発生しない。したがってこの発電機は発電抗力なしで発電することが出来る。  〔実施の形態２〕
【０００８】
【図２】図２はプラスチックに複数の小径の円筒状永久磁石をはめ込んで、磁極を形成たものである。そして実施の形態２にかかる統一発電機の軸方向断面図である。上記のレール部分の端と端を繋ぎ円としたものである。コレにより遊星歯車と遊星電機子による発電抗力と回転方向が打ち消しあう抗力無しの回転発電機が容易に具現した。又永久磁石内で発生する自己誘導発電による抗力損を小径円筒磁石内に押し込めることにより発熱を防ぐことが容易となった。
【符号の説明】
【０００９】１．…遊星歯車
２．…遊星子
３．…リニアモータレール
４．…リニアモータ磁石
５．…遊星子回転軸
６．…レール歯車
７．…軸進行方向
８．…遊星子回転方向
９．…内歯大歯車
１０．…銀河磁石
１１．…遊星歯車支持装置、キャリア。
１２．…銀河子
１３．…銀河子発電抗力方向
１４．…銀河子回転方向
１５．…小径円筒状永久磁石
１６．…絶縁物質
【図１】
2008172992.tif 000003
【図２】
2008172992.tif 000004